(57)【要約】【課題】被葬者といっしょに棺桶に入れて火葬した場合に完全に焼却できる化粧セットおよびこの化粧セットを用いた葬儀方法を提供することを目的としている。【解決手段】焼却可能な化粧成分からなる化粧料が焼却可能な材料で形成された容器に収容された容器入り化粧品および焼却可能な化粧成分からなる棒状に成形された化粧料が焼却可能な材料で形成された筒状の支持部材に内嵌された鉛筆型化粧品からなる群より選ばれた複数の化粧品と、焼却可能な材料で形成された容器入り化粧品の塗布具とが、少なくとも焼却可能な材料で形成された収容容器に収容されていることを特徴としている。【選択図】　　　図１
2004049813.tif 000002
【特許請求の範囲】
【請求項１】
焼却可能な化粧成分からなる化粧料が焼却可能な材料で形成された容器に収容された容器入り化粧品および焼却可能な化粧成分からなる棒状に成形された化粧料が焼却可能な材料で形成された筒状の支持部材に内嵌された鉛筆型化粧品からなる群より選ばれた複数の化粧品と、焼却可能な材料で形成された容器入り化粧品の塗布具とが、少なくとも焼却可能な材料で形成された収容容器に収容されていることを特徴とする化粧セット。
【請求項２】
容器中に充填された化粧料および支持部材に支持された化粧料の量が数回分の使用量である請求項１に記載の化粧セット。
【請求項３】
請求項１または請求項２に記載の化粧セット内の化粧料を用いて被葬者に化粧を施した後、残りの化粧料が入った前記化粧セットを被葬者とともに棺桶内に収容することを特徴とする葬儀方法。
【発明の詳細な説明】
【０００１】
【発明の属する技術分野】
本発明は、化粧セットおよびこの化粧セットを用いた葬儀方法に関する。
【０００２】
【従来の技術】
被葬者を納棺する前に、被葬者のやつれなどを会葬者に見せないように死に化粧が施される場合が多い。
ところで、この死に化粧は、葬儀社の従業員や病院の看護婦などによって行われることが多い。
【０００３】
しかし、このような場合、他の被葬者にも用いた化粧品が用いられるため、遺族にとってはあまり気分のよいものではない。
また、遺族が、女性の被葬者に対して、死後の世界においても化粧ができるように、棺桶の中に被葬者が生前愛用していた化粧品をいっしょに入れたりすることを望む場合もあったが、化粧品容器は焼却時に有害なガスを発生させる樹脂を使用していることもある。また、化粧品容器が金属製やガラス製のものもあるが、このような容器の場合、いっしょに火葬すると、金属部分やガラス部分が燃え残ってしまうという問題がある。したがって、骨および灰中に混ざり合ったこれらの燃え残りを取り除かなければ、骨や灰を処分することができず、非常に面倒である上、燃え残りの処分にも問題があり、火葬場によっては、棺桶の中に燃え残るようなものをいっしょに入れることを禁止しているところもある。さらに、化粧料に使用されている顔料中には燃え残り、骨や灰を着色したりするものもある。
【０００４】
【発明が解決しようとする課題】
本発明は、上記事情に鑑みて、被葬者といっしょに棺桶に入れて火葬した場合に完全に焼却できる化粧セットおよびこの化粧セットを用いた葬儀方法を提供することを目的としている。
【０００５】
【課題を解決するための手段】
上記目的を達成するために、本発明の請求項１に記載の化粧セット（以下、「請求項１の化粧セット」と記す）は、焼却可能な化粧成分からなる化粧料が焼却可能な材料で形成された容器に収容された容器入り化粧品および焼却可能な化粧成分からなる棒状に成形された化粧料が焼却可能な材料で形成された筒状の支持部材に内嵌された鉛筆型化粧品からなる群より選ばれた複数の化粧品と、焼却可能な材料で形成された容器入り化粧品の塗布具とが、少なくとも焼却可能な材料で形成された収容容器に収容されていることを特徴としている。
【０００６】
本発明の請求項２に記載の化粧セット（以下、「請求項２の化粧セット」と記す）は、請求項１の化粧セットにおいて、容器中に充填された化粧料および支持部材に支持された化粧料の量が数回分の使用量であることを特徴としている。
【０００７】
本発明にかかる葬儀方法は、請求項１または請求項２に記載の化粧セット内の化粧料を用いて被葬者に化粧を施した後、残りの化粧料が入った前記化粧セットを被葬者とともに棺桶内に収容するようにした。
【０００８】
本発明において、焼却可能とは、有毒ガス等を出さず、火葬時に完全に焼失するか、骨と混ざり合っても視認できない程度の灰や残滓のみとなることを意味する。
化粧料としては、特に限定されないが、たとえば、白粉、口紅、眉墨、ほほ紅等が挙げられる。
【０００９】
そして、化粧料に含まれる顔料などは、できるだけ完全に焼却する有機系のものが好ましいが、白色系のものであれば、無機系顔料でも構わない。
化粧容器または化粧料支持具を形成する材料としては、焼却可能であれば特に限定されないが、紙、木、これらの複合材料等セルロース系のものが好適に使用される。
【００１０】
また、液状の化粧料を収容する容器の場合、耐油性紙を用いたり、容器内壁面等の化粧料と接触する面を焼却時に有毒なガスを発生しない耐油性樹脂フィルムや蝋などで被覆するなどしてしておくことが好ましい。
【００１１】
【発明の実施の形態】
以下に、本発明を、その実施の形態をあらわす図面を参照しつつ詳しく説明する。
図１は、本発明にかかる化粧セットの第１の実施の形態をあらわしている。
【００１２】
図１に示すように、この化粧セット１は、収容容器２ａ中に、鉛筆型化粧品としての眉墨ペンシル３、容器入り化粧品としての口紅容器４、白粉容器５、ほほ紅容器６、塗布具としてのほほ紅用ブラシ７ａおよび口紅用ブラシ７ｂが内蔵されている。
収容容器２ａは、ボール紙からなる基材の表面が化粧紙で覆われた紙製の上部開口の容器本体２１と、図示していないが、容器本体２１の上部開口を覆う容器本体２１と同様に紙製の蓋とを備えている。
【００１３】
容器本体２１は、眉墨ペンシル３、白粉容器４、口紅容器５、ほほ紅容器６、ほほ紅用ブラシ７ａおよび口紅用ブラシ７ｂのそれぞれの略外形形状をした収容凹部２２が内部に設けられている。
眉墨ペンシル３は、図２に示すように、筒状をした木製の支持部材３１と、この支持部材３１の一端部の嵌着された数回の使用分の長さの棒状に成形されたた化粧料としての焼却可能な眉墨３２と、支持部材３１の残部に充填された木屑再生材からなる芯材３３とから形成されている。
【００１４】
白粉容器４は、図３に示すように、紙製の容器本体４１と、紙製の蓋４２と、落とし蓋４３と、ルース状の化粧料としての白粉４４と、綿製パフ４５とを備えている。
白粉４４は、容器本体４１内に複数回の使用分だけ充填されており、体質顔料としてセルロースパウダー、シルクパウダー、でんぷん粉、ウールパウダー等の動植物系のものが使用され、着色顔料として焼却可能な有機系のものが使用され、灰分を残して完全に焼失するようになっている。
【００１５】
落とし蓋４３は、容器本体４１の内径とほぼ同じ外径をした紙製のリングの内側に薄紙等が張設されていて、白粉４４の上に載るように、容器本体４１内に装着されるようになっている。
【００１６】
口紅容器５は、図４に示すように、耐油性紙製の容器本体５１と、耐油性紙製の蓋５２と、口紅５３とを備えている。
口紅５３は、容器本体５１内に流し込みによって複数回の使用分だけ充填されており、着色顔料として焼却可能な有機系のものが主に用いられている。
【００１７】
ほほ紅容器６は、図示していないが、練り状ほほ紅の場合、耐油性紙製の容器本体と、耐油性紙製の蓋と、ほほ紅とを備えている。尚、粉体状ほほ紅の場合、白粉容器４と同様の構造を利用できる。
ほほ紅は、口紅５３と同様に容器本体内に複数回の使用分だけ充填されており、体質顔料としてセルロースパウダー、シルクパウダー、でんぷん粉、ウールパウダー等の動植物系のものが使用され、着色顔料として焼却可能な有機系のものが使用され、灰分を残して完全に焼失するようになっている。
【００１８】
ほほ紅用ブラシ７ａおよび口紅用ブラシ７ｂは、それぞれ、木製の軸７１の先端に動植物の繊維からなる毛７２が植設されていて、白色または灰色の灰分を残して完全に焼失するようになっている。
【００１９】
そして、この化粧セット１を用いた葬儀方法は、まず、新しい化粧セット１を用意し、遺族、看護婦または葬儀社の従業員等が、被葬者に、この化粧セット１の眉墨３２、白粉４４、口紅５３およびほほ紅を用いて死に化粧を施す。そして、眉墨ペンシル３、口紅容器４、白粉容器５、ほほ紅容器６、塗布具としてのほほ紅用ブラシ７ａおよび口紅用ブラシ７ｂを収容容器２ａ内に戻し、被葬者とともに棺桶に収容して、葬儀が終わると、被葬者とともに火葬するようになっている。
【００２０】
すなわち、この葬儀方法によれば、常に新しい化粧セットを用いて被葬者に死に化粧を施することができ、遺族にとっても本人にとっても気持ちのよいものである。
そして、残った化粧料が収容容器２ａ内にもどされた化粧セット１を被葬者とともに棺桶に入れ、いっしょに火葬するようになっているので、被葬者があの世で化粧を施せればという遺族の願いをかなえることができる。
【００２１】
また、化粧セット１が、すべて焼却する材料で形成されているので、火葬後に骨や灰中に燃え残りが混ざったり、顔料によって骨や灰が着色されたりすることがない。
さらに、有毒ガスの発生は勿論のこと派生各化粧料が数回分しかないので、無駄の化粧料の焼却もなく、省資源化を図ることがなくなるとともに、環境的にも好ましい。
【００２２】
図５は、本発明にかかる化粧セットの第２の実施の形態をあらわしている。
図５に示すように、この化粧セット８は、収容容器２ｂ内に口紅容器４に代えて眉墨ペンシル３と同様の構造になった口紅ペンシル９を収容するようにした以外は、上記地実施の形態と同様になっている。
【００２３】
【実施例】
本発明の化粧セットに用いる白粉、ほほ紅、口紅、眉墨の配合の一例と、従来の化粧料の配合の１例を対比させて表１〜表４に示す。なお、表１〜表４中、原料の配合割合は、すべて重量％である。
【００２４】
【表１】
2004049813.tif 000003
【００２５】
【表２】
2004049813.tif 000004
【００２６】
【表３】
2004049813.tif 000005
【００２７】
【表４】
2004049813.tif 000006
【００２８】
本発明は、上記の実施の形態および実施例に限定されない。たとえば、上記の実施の形態では、収容容器が紙製であったが、木製にしたり、表面を絹貼りにするなどしても構わない。また、収容容器内に化粧料として毛染めや木製の櫛などを収容するようにしても構わない。
【００２９】
また、本発明の化粧セットに使用される原料は、上記実施例に用いられたものの他、たとえば、体質顔料（無機）として、無水ケイ酸、ケイ酸アルミニウムマグネシウム、マイカなど、
金属せっけんとして、ステアリン酸アルミニウム、ステアリン酸亜鉛、ステアリン酸カルシウム、ミリスチン酸亜鉛、ラウリン酸亜鉛など、
体質顔料（有機）として、シルク末、ウール末、小麦澱粉、ポリエチレン末、ナイロン末、ポリアクリル酸アルキル、架橋ポリスチレン、シリコーン末、オクテニルコハク酸トウモロコシデンプンアルミニウムなど、
着色顔料（無機）としてグンジョウ、コンジョウ、黒酸化チタン、水酸化クロム、チタンリチウムコバルト、酸化亜鉛、マンガンバイオレット、雲母チタン、カルミン処理雲母チタンなど、
着色顔料（有機）としてタール色素、ベニバナ黄、ベニバナ赤、クチナシ黄、β−カロチン、パプリカ色素、コチニール、シコニン、ラッカイン酸、ウコンエキス、同クロロフィリンナトリウム、リボフラビン酪酸エステル、イカスミ末、グアイアズレン、クチナシ青等の天然色素などが使用できる。
【００３０】
さらに、上記の実施例において、白粉およびほほ紅は、有機の体質顔料としてセルロースパウダーが用いられ、その配合が８９重量％であったが、セルロースパウダーの配合割合は２０重量％〜９９重量％の範囲であればよい。そして、セルロースパウダーの他に、体質顔料として、タルク、セリサイト、カオリン、炭酸マグネシウム等の無機体質顔料も使用することができる。尚、この場合は、セルロースパウダーいがいに用いることができる無機体質顔料は、体質顔料全体の０重量％〜８０重量％を配合させることができる。
また、本発明の化粧セットは、被葬者に対する化粧以外に用いられても構わない。
【００３１】
【発明の効果】
本発明にかかる化粧セットは、以上のように構成されているので、被葬者とともに火葬しても、火葬後に骨や灰中に燃え残りが混ざったり、顔料によって骨や灰が着色されたりすることがない。
また、請求項２の化粧セットのようにすれば、無駄の化粧料の焼却もなく、省資源化を図ることができ、環境的にも好ましい。
【００３２】
本発明にかかる葬儀方法は、以上のように構成されているので、常に新しい化粧セットを用いて被葬者に死に化粧を施すことができ、遺族にとっても本人にとっても気持ちのよいものである。
そして、残った化粧料が入った化粧セット被葬者とともに棺桶に入れいっしょに火葬するようになっているので、被葬者が死後の世界で化粧を施せればという遺族の願いを適えることができる
【図面の簡単な説明】
【図１】本発明にかかる化粧セットの１つの実施の形態であって、その収容容器の蓋を取り除いた状態の平面図である。
【図２】図１の化粧セットの眉墨ペンシルの断面図である。
【図３】図１の化粧セットの白粉容器の断面図である。
【図４】図１の化粧セットの口紅容器の断面図である。
【図５】本発明にかかる化粧セットの他の実施の形態であって、その収容容器の蓋を取り除いた状態の平面図である。
【符号の説明】
１，８　化粧セット
２ａ，２ｂ　収容容器
３　眉墨ペンシル（鉛筆型化粧品）
３１　支持部材
３２　眉墨（芯状化粧料）
４　白粉容器（容器入り化粧品）
４１，５１　容器本体
４２，５２　蓋
４４　白粉
５　口紅容器（容器入り化粧品）
５３　口紅
６　ほほ紅容器（容器入り化粧品）
７ａ　ほほ紅用ブラシ
７ｂ　口紅用ブラシ
９　口紅ペンシル（鉛筆型化粧品）
【図１】
2004049813.tif 000007
【図２】
2004049813.tif 000008
【図３】
2004049813.tif 000009
【図４】
2004049813.tif 000010
【図５】
2004049813.tif 000011